(57)【要約】【課題】利用者がディジタル機器を用いて作成した情報あるいはディジタル機器を用いて通信ネットを介して接触した情報等に関する情報を自動的に記録管理するディジタル情報管理システム及びその送信モジュール並びにディジタル情報管理方法及びそのプログラムと情報記憶媒体を提供する。【解決手段】利用者がデジタル機器８を用いて作成したディジタル情報或いは通信ネットワーク３を介して接触したデジタル情報に関する情報を記録対象情報として、送信モジュール７によって自動的に基地局４に送信し、基地局４が記録対象情報を通信ネットワーク３を介して情報記録サーバ５に送信し、情報記録サーバ５は受信した記録対象情報を記録管理し、通信ネットワーク３を介して情報記録サーバ５に接続された情報閲覧端末装置１によって記録対象情報を閲覧する。【選択図】  図１
2004318519.tif 000002
【特許請求の範囲】
【請求項１】
利用者がデジタル機器を用いて作成したディジタル情報或いは通信ネットワークを介して接触したデジタル情報のうちの少なくとも何れか一方に関する情報を自動的に記録管理するディジタル情報管理システムであって、
コンピュータ装置からなり、前記利用者が情報を作成する或いは通信ネットワークを介して接触するための前記ディジタル機器と、
通信ネットワークに接続されたコンピュータ装置からなり、送信モジュールから送信された記録対象情報を受信し、該受信した記録対象情報を前記通信ネットワークを介して情報記録サーバに送信する基地局と、
前記通信ネットワークに接続されたコンピュータ装置からなり、情報記憶手段と、前記通信ネットワークを介して受信した前記記録対象情報を前記情報記憶手段に格納する情報格納手段とを有する情報記録サーバと、
前記ディジタル機器に接続或いは内蔵され、前記ディジタル機器で作成した情報或いは前記接触した情報のうちの少なくとも何れか一方に関して、情報本体あるいは情報を一意に指し示す指示情報のうちの少なくとも何れか一方を前記記録対象情報として前記通信ネットワークを介して前記基地局へ自動的に送信する送信モジュールと、
前記通信ネットワークを介して前記情報記録サーバに接続し、前記情報記録サーバに記録されている前記記録対象情報を閲覧する閲覧端末装置とを備えている
ことを特徴とするディジタル情報管理システム。
【請求項２】
前記情報記録サーバは、
利用者が前記情報記録サーバを利用して情報を記録した場合における、利用回数、利用情報量、利用期間、利用時間のうちの少なくとも何れか１つを含む利用形態に関する情報を利用者毎に記録して保持する利用形態記録手段と、
前記利用形態記録手段に保持されている前記利用形態に関する情報に基づいて前記利用者に課金する課金手段とを備えている
ことを特徴とする請求項１に記載のディジタル情報管理システム。
【請求項３】
前記送信モジュールは、利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つを前記記録対象情報に付加する手段を有する
ことを特徴とする請求項１に記載のディジタル情報管理システム。
【請求項４】
前記送信モジュールは、利用者が前記ディジタル機器を用いて情報作成した或いは通信ネットワークを介して情報に接触した場合において、
前記付加情報が日時の情報であるときは、前記付加情報に曜日と祝日の名称と個人的な記念日のうちの少なくとも何れか１つを表す情報を含み、
前記付加情報が前記情報の性質を表す情報であるときは、前記付加情報に専門用語でのフォーマット名と情報の名称のうちの少なくとも何れか１つを表す情報を含み、
前記付加情報が前記利用したディジタル機器の存在場所を表す情報であるときは、緯度・経度情報或いは地名或いは通称名のうちの少なくとも何れか１つを表す情報を含む
ことを特徴とする請求項３に記載のディジタル情報管理システム。
【請求項５】
前記送信モジュールは、利用者が操作可能なスイッチ手段と、該スイッチ手段の操作に基づいて前記記録対象情報を強制的に前記基地局に送信する手段を有する
ことを特徴とする請求項１に記載のディジタル情報管理システム。
【請求項６】
前記送信モジュールは、利用者が操作可能なスイッチ手段と、該スイッチ手段の操作に基づいて前記基地局への前記記録対象情報の送信を強制的に中止する手段を有する
ことを特徴とする請求項１に記載のディジタル情報管理システム。
【請求項７】
前記送信モジュールは、利用者が操作可能なスイッチ手段と、該スイッチ手段の操作に基づいて前記情報記録サーバの記憶手段に記録されている前記記録対象情報の少なくとも一部を削除するための削除要求信号を送信する手段を有し、
前記基地局は前記削除要求信号を前記情報記録サーバに転送する手段を有し、
前記情報記録サーバは、前記削除要求信号を受信したときに、受信した削除要求信号に基づいて所定の情報を削除する手段を有する
ことを特徴とする請求項１に記載のディジタル情報管理システム。
【請求項８】
前記送信モジュールは、
情報暗号化に用いる公開鍵を保持する手段と、
前記公開鍵を用いて前記記録対象情報を暗号化する手段と、
前記暗号化された記録対象情報を前記情報記録サーバの情報記憶手段に記録する手段とを有し、
前記閲覧端末装置は、
前記公開鍵に対応する秘密鍵を外部から入力する手段或いは前記秘密鍵を保持する手段のうちの少なくとも何れか一方と、
前記情報記録サーバの記憶手段に記録されている前記暗号化された記録対象情報を閲覧するときに、前記外部から入力された秘密鍵によって前記暗号化された記録対象情報を復号する手段とを有する
ことを特徴とする請求項１に記載のディジタル情報管理システム。
【請求項９】
前記通信ネットワークに接続された複数の前記情報記録サーバを備え、
前記複数の情報記録サーバのうちの少なくとも１つが、前記記録対象情報を他の情報記録サーバと分担して保持する手段を有する
ことを特徴とする請求項１に記載のディジタル情報管理システム。
【請求項１０】
前記通信ネットワークに接続された複数の前記情報記録サーバを備え、
前記複数の情報記録サーバのうちの少なくとも２つが、同一の前記記録対象情報を相互にバックアップとして保持する手段を有する
ことを特徴とする請求項１に記載のディジタル情報管理システム。
【請求項１１】
前記通信ネットワークは有線通信ネットワークに接続された無線基地局を有し、
前記送信モジュールは前記無線基地局との無線通信によって前記通信ネットワークに接続する手段を有する
ことを特徴とする請求項１に記載のディジタル情報管理システム。
【請求項１２】
利用者がデジタル機器を用いて作成したディジタル情報或いは通信ネットワークを介して接触したデジタル情報のうちの少なくとも何れか一方に関する情報を記録対象情報として、前記ディジタル機器に接続された送信モジュールによって自動的に通信ネットワークを介して情報記録サーバに送信し、前記情報記録サーバは前記送信モジュールから受信した前記記録対象情報を情報記憶手段に記憶して記録管理するディジタル情報管理システムにおける前記送信モジュールであって、
前記ディジタル機器で作成した情報或いは前記接触した情報のうちの少なくとも何れか一方に関して、情報本体あるいは情報を一意に指し示す指示情報のうちの少なくとも何れか一方を前記記録対象情報として前記情報記録サーバへ記録するための信号を前記通信ネットワークを介して前記情報記録サーバへ自動的に送信する送信手段を備えている
ことを特徴とする送信モジュール。
【請求項１３】
利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つを前記記録対象情報に付加する手段を有する
ことを特徴とする請求項１２に記載の送信モジュール。
【請求項１４】
利用者が前記ディジタル機器を用いて情報作成した或いは通信ネットワークを介して情報に接触した場合において、
前記付加情報が日時の情報であるときは、前記付加情報に曜日と祝日の名称と個人的な記念日のうちの少なくとも何れか１つを表す情報を含み、
前記付加情報が前記情報の性質を表す情報であるときは、前記付加情報に専門用語でのフォーマット名と情報の名称のうちの少なくとも何れか１つを表す情報を含み、
前記付加情報が前記利用したディジタル機器の存在場所を表す情報であるときは、緯度・経度情報或いは地名或いは通称名のうちの少なくとも何れか１つを表す情報を含む
ことを特徴とする請求項１３に記載の送信モジュール。
【請求項１５】
利用者が操作可能なスイッチ手段と、該スイッチ手段の操作に基づいて前記記録対象情報を強制的に前記情報記録サーバに記録するための信号を送信する手段を有する
ことを特徴とする請求項１２に記載の送信モジュール。
【請求項１６】
利用者が操作可能なスイッチ手段と、該スイッチ手段の操作に基づいて前記情報記録サーバへの前記記録対象情報の記録を強制的に中止する手段を有する
ことを特徴とする請求項１２に記載の送信モジュール。
【請求項１７】
利用者が操作可能なスイッチ手段と、該スイッチ手段の操作に基づいて前記情報記録サーバの記憶手段に記録されている前記記録対象情報の少なくとも一部を削除するための信号を送信する手段を有する
ことを特徴とする請求項１２に記載の送信モジュール。
【請求項１８】
情報暗号化に用いる公開鍵を保持する手段と、
前記公開鍵を用いて前記記録対象情報を暗号化する手段とを有し、
前記送信手段は、前記暗号化された記録対象情報を送信する
ことを特徴とする請求項１２に記載の送信モジュール。
【請求項１９】
利用者がデジタル機器を用いて作成したディジタル情報或いは通信ネットワークを介して接触したデジタル情報のうちの少なくとも何れか一方に関する情報を記録対象情報として、前記ディジタル機器に接続或いは内蔵された送信モジュールによって自動的に基地局に送信し、
前記基地局は前記送信モジュールから送信された記録対象情報を通信ネットワークを介して情報記録サーバに送信し、
前記情報記録サーバは前記ネットワークを介して前記基地局から受信した前記記録対象情報を情報記憶手段に記憶して記録管理し、
前記情報記録サーバに記録されている前記記録対象情報を閲覧するときに、前記通信ネットワークを介して前記情報記録サーバに接続された情報閲覧端末装置によって前記記録対象情報を表示する
ことを特徴とするディジタル情報管理方法。
【請求項２０】
前記情報記録サーバは、
利用者が前記情報記録サーバを利用して情報を記録した場合における、利用回数、利用情報量、利用期間、利用時間のうちの少なくとも何れか１つを含む利用形態に関する情報を利用者毎に記録して保持し、
前記保持している前記利用形態に関する情報に基づいて前記利用者に課金する
ことを特徴とする請求項１９に記載のディジタル情報管理方法。
【請求項２１】
前記送信モジュールは、利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つを前記記録対象情報に付加する
ことを特徴とする請求項１９に記載のディジタル情報管理方法。
【請求項２２】
前記送信モジュールは、
利用者が前記ディジタル機器を用いて情報作成した或いは通信ネットワークを介して情報に接触した場合において、
前記付加情報が日時の情報であるときは、前記付加情報に曜日と祝日の名称と個人的な記念日のうちの少なくとも何れか１つを表す情報を含め、
前記付加情報が前記情報の性質を表す情報であるときは、前記付加情報に専門用語でのフォーマット名と情報の名称のうちの少なくとも何れか１つを表す情報を含め、
前記付加情報が前記利用したディジタル機器の存在場所を表す情報であるときは、緯度・経度情報或いは地名或いは通称名のうちの少なくとも何れか１つを表す情報を含める
ことを特徴とする請求項１９に記載のディジタル情報管理方法。
【請求項２３】
前記送信モジュールは、利用者が入力した制御指示に基づいて前記記録対象情報を強制的に前記情報記録サーバに記録する
ことを特徴とする請求項１９に記載のディジタル情報管理方法。
【請求項２４】
前記送信モジュールは、利用者が入力した制御指示に基づいて前記情報記録サーバへの前記記録対象情報の記録を強制的に中止する
ことを特徴とする請求項１９に記載のディジタル情報管理方法。
【請求項２５】
前記送信モジュールは、利用者が入力した制御指示に基づいて前記情報記録サーバの記憶手段に記録されている前記記録対象情報の少なくとも一部を削除する
ことを特徴とする請求項１９に記載のディジタル情報管理方法。
【請求項２６】
前記送信モジュールは、
情報暗号化に用いる公開鍵を保持し、
前記公開鍵を用いて前記記録対象情報を暗号化し、
前記暗号化された記録対象情報を送信し、
前記情報記録サーバは前記送信モジュールから受信した前記暗号化された記録対象情報を情報記憶手段に記憶して記録管理し、
前記情報閲覧端末装置は、前記公開鍵に対応した秘密鍵によって前記情報記録サーバから受信した前記暗号化された記録対象情報を複合して表示する
ことを特徴とする請求項１９に記載のディジタル情報管理方法。
【請求項２７】
利用者がデジタル機器を用いて作成したディジタル情報或いは通信ネットワークを介して接触したデジタル情報のうちの少なくとも何れか一方に関する情報を記録対象情報として、前記ディジタル機器に接続された送信モジュールによって自動的に通信ネットワークを介して情報記録サーバに送信し、前記情報記録サーバは前記送信モジュールから受信した前記記録対象情報を情報記憶手段に記憶して記録管理するディジタル情報管理システムにおける前記送信モジュールを駆動するプログラムであって、
前記請求項１９乃至請求項２６に記載の方法における送信モジュールが行う処理を実行する処理ステップを含むコンピュータプログラム。
【請求項２８】
前記請求項２７に記載のプログラムが記憶されていることを特徴とするコンピュータ読み取り可能な情報記憶媒体。
【発明の詳細な説明】
【０００１】
【発明の属する技術分野】
本発明は、利用者が取り扱うデジタル情報の記録及び閲覧をより簡便に行なうことができるディジタル情報管理システム及びその方法並びにその送信モジュール及びそのプログラムと情報記憶媒体に関するものである。
【０００２】
【従来の技術】
従来、インターネット等で扱われるＷＷＷブラウザの中には、アプリケーションによっては、利用者が訪れたＵＲＬの履歴を記録・保持する機能を持つものがある。
【０００３】
しかし、履歴情報は個別のブラウザそれぞれに関わるものだけで、他のブラウザの履歴の記録、あるいは全く異なった種類の情報の記録まではサポートしない。
【０００４】
一方、静止画を撮影するデジタルスチルカメラや、動画を撮影するデジタルビデオカメラの多くには、あらかじめ機器に日時をセットしておくことで、自動的に撮影した日時が記録される機能がある。
【０００５】
また、特にデジタルスチルカメラについては、機種によって、機器収納用の台がパソコンに接続でき、利用者が意識的な処理を行なわなくとも、接続されたパソコンにデジタル写真が転送され、管理することが可能な機能を持つものもある。
【０００６】
しかし、自動的に記録管理する対象はあくまで該当機種で撮影されたデジタルスチル写真に限られる。
【０００７】
また、デジタル機器が録音・撮影等の記録処理を行なった場合、記録された情報は即時に転送されるわけではなく、情報の記録量はデジタル機器に内蔵された記録メディアの容量を超えることが原理的に不可能である。
【０００８】
一方、インターネット上においてＸＭＬ  Ｗｅｂ  サービス  （相互に、または他の大きなアプリケーションと接続できる小さな独立したビルディング  ブロック  アプリケーション）  を利用することにより、高レベルのソフトウェア統合を可能とする技術がマイクロソフト「．ｎｅｔ」（ドットネット）ｈｔｔｐ：／／ｗｗｗ．ｍｉｃｒｏｓｏｆｔ．ｃｏｍ／ｊａｐａｎ／ｎｅｔ／ｂａｓｉｃｓ／ｗｈａｔｉｓ．ａｓｐに開示されている。また、ビジネス統合に関する技術がｈｔｔｐ：／／ｗｗｗ．ｍｉｃｒｏｓｏｆｔ．ｃｏｍ／ｊａｐａｎ／ｎｅｔ／ｂｕｓｉｎｅｓｓ／ｎｅｘｔｇｅｎｂｉｚ．ａｓｐに開示されている。さらに、通信ネットワークを活用したサービスに関する技術がＮＴＴコミュニケーションズ「コデン」ｈｔｔｐ：／／ｃｏｄｅｎ．ｎｔｔ．ｃｏｍ／ｓｅｒｖｉｃｅ／ｉｎｄｅｘ．ｈｔｍに開示されている。
【０００９】
【非特許文献１】
ｈｔｔｐ：／／ｗｗｗ．ｍｉｃｒｏｓｏｆｔ．ｃｏｍ／ｊａｐａｎ／ｎｅｔ／ｂａｓｉｃｓ／ｗｈａｔｉｓ．ａｓｐ
【非特許文献２】
ｈｔｔｐ：／／ｗｗｗ．ｍｉｃｒｏｓｏｆｔ．ｃｏｍ／ｊａｐａｎ／ｎｅｔ／ｂｕｓｉｎｅｓｓ／ｎｅｘｔｇｅｎｂｉｚ．ａｓｐ
【非特許文献３】
ｈｔｔｐ：／／ｃｏｄｅｎ．ｎｔｔ．ｃｏｍ／ｓｅｒｖｉｃｅ／ｉｎｄｅｘ．ｈｔｍ
【００１０】
【発明が解決しようとする課題】
利用者はデジタルスチルカメラ・デジタルビデオカメラ・パソコン・ＭＰ３音声録音機・デジタル携帯電話・様々なデジタル機器を利用して個人的な情報を記録している。さらに、インターネットを通じて、電子メール・ＷＷＷホームページ・ビデオオンデマンドなど様々なデジタル情報に接触している。
【００１１】
ところが、これらを一元的に記録・整理して閲覧することができないため、利用者はそれぞれのデジタル機器に応じてデジタル情報の記録媒体を用意し、またどのようなデジタル情報に接触したかについてをそれぞれのチャネルに個別に管理する必要がある。
【００１２】
また、個別のデジタル機器を利用した場合、たとえばデジタルスチルカメラにおいても、多くの場合、撮影を行なった後に、カメラに内蔵されていたデジタル情報の記録媒体を取り出し、パーソナルコンピュータ内の記憶媒体にコピーし、必要に応じてパーソナルコンピュータの中で分類整理を行なう必要がある。
【００１３】
また、この様にディジタル機器の情報記録媒体に記録されている情報をパーソナルコンピュータ内の記憶媒体にコピーする作業を怠った場合、ディジタル機器に内蔵された情報記録媒体だけでは情報が収納しきれず、デジタル機器が手元にあるにもかかわらず利用できないという問題が発生する。
【００１４】
本発明の目的は上記の問題点に鑑み、利用者がディジタル機器を用いて作成した情報あるいはディジタル機器を用いて通信ネットを介して接触した情報等に関する情報を自動的に記録管理するディジタル情報管理システム及びその送信モジュール並びにディジタル情報管理方法及びそのプログラムと情報記憶媒体を提供することである。
【００１５】
【課題を解決するための手段】
本発明は上記の目的を達成するために、利用者がデジタル機器を用いて作成したディジタル情報或いは通信ネットワークを介して接触したデジタル情報のうちの少なくとも何れか一方に関する情報を自動的に記録管理するディジタル情報管理システムであって、コンピュータ装置からなり、前記利用者が情報を作成する或いは通信ネットワークを介して接触するための前記ディジタル機器と、前記通信ネットワークに接続されたコンピュータ装置からなり、情報記憶手段と、前記通信ネットワークを介して受信した記録対象情報を前記情報記憶手段に格納する情報格納手段とを有する情報記録サーバと、前記ディジタル機器に接続或いは内蔵され、前記ディジタル機器で作成した情報或いは前記接触した情報のうちの少なくとも何れか一方に関して、情報本体あるいは情報を一意に指し示す指示情報のうちの少なくとも何れか一方を前記記録対象情報として前記通信ネットワークを介して前記情報記録サーバへ自動的に送信する送信モジュールと、前記通信ネットワークを介して前記情報記録サーバに接続し、前記情報記録サーバに記録されている前記記録対象情報を閲覧する閲覧端末装置とを備えているディジタル情報管理システムを提案する。
【００１６】
本発明のディジタル情報管理システムによれば、前記ディジタル機器に接続或いは内蔵された送信モジュールにより、利用者がデジタル機器を用いてディジタル情報を作成したとき或いは通信ネットワークを介してデジタル情報に接触したときに、この情報本体あるいはこの情報を一意に指し示す指示情報のうちの少なくとも何れか一方が記録対象情報とされて前記通信ネットワークを介して前記情報記録サーバの情報記憶手段に自動的に記録される。さらに、利用者が前記情報記録サーバに記録されている前記記録対象情報を閲覧するときは、前記閲覧端末装置によって前記通信ネットワークを介して前記情報記録サーバに接続され、前記情報記録サーバに記録されている前記記録対象情報を閲覧することができる。
【００１７】
また、本発明は上記構成のディジタル情報管理システムにおいて、前記情報記録サーバは、利用者が前記情報記録サーバを利用して情報を記録した場合における、利用回数、利用情報量、利用期間、利用時間のうちの少なくとも何れか１つを含む利用形態に関する情報を利用者毎に記録して保持する利用形態記録手段と、前記利用形態記録手段に保持されている前記利用形態に関する情報に基づいて前記利用者に課金する課金手段とを備えているディジタル情報管理システムを提案する。
【００１８】
本発明のディジタル情報管理システムによれば、前記情報記録サーバの利用形態記録手段によって、利用者が前記情報記録サーバを利用して情報を記録した場合における、利用回数、利用情報量、利用期間、利用時間のうちの少なくとも何れか１つを含む利用形態に関する情報が利用者毎に記録されて保持される。さらに、課金手段によって、前記利用形態記録手段に保持されている前記利用形態に関する情報に基づいて前記利用者に課金される。
【００１９】
また、本発明は上記構成のディジタル情報管理システムにおいて、前記送信モジュールは、利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つを前記記録対象情報に付加する手段を有するディジタル情報管理システムを提案する。
【００２０】
本発明のディジタル情報管理システムによれば、利用者が前記ディジタル機器を用いて情報作成した或いは通信ネットワークを介して情報に接触した場合において、前記送信モジュールによって、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つが前記記録対象情報に付加される。これにより、前記記録対象情報を閲覧する際に該情報の記録に関する詳細情報を得ることができる。
【００２１】
また、本発明は上記構成のディジタル情報管理システムにおいて、前記送信モジュールは、利用者が前記ディジタル機器を用いて情報作成した或いは通信ネットワークを介して情報に接触した場合において、前記付加情報が日時の情報であるときは、前記付加情報に曜日と祝日の名称と個人的な記念日のうちの少なくとも何れか１つを表す情報を含み、前記付加情報が前記情報の性質を表す情報であるときは、前記付加情報に専門用語でのフォーマット名と情報の名称のうちの少なくとも何れか１つを表す情報を含み、前記付加情報が前記利用したディジタル機器の存在場所を表す情報であるときは、緯度・経度情報或いは地名或いは通称名のうちの少なくとも何れか１つを表す情報を含むディジタル情報管理システムを提案する。
【００２２】
本発明のディジタル情報管理システムによれば、利用者が前記ディジタル機器を用いて情報作成した或いは通信ネットワークを介して情報に接触した場合において、前記送信モジュールによって、前記付加情報が日時の情報であるときは、前記付加情報に曜日と祝日の名称と個人的な記念日のうちの少なくとも何れか１つを表す情報が前記記録対象情報に付加され、前記付加情報が前記情報の性質を表す情報であるときは、前記付加情報に専門用語でのフォーマット名と情報の名称のうちの少なくとも何れか１つを表す情報が前記記録対象情報に付加され、前記付加情報が前記利用したディジタル機器の存在場所を表す情報であるときは、緯度・経度情報或いは地名或いは通称名のうちの少なくとも何れか１つを表す情報が戦記記録対象情報に付加される。
【００２３】
また、本発明は上記構成のディジタル情報管理システムにおいて、前記送信モジュールは、利用者が操作可能なスイッチ手段と、該スイッチ手段の操作に基づいて前記記録対象情報を強制的に前記情報記録サーバに記録する手段を有するディジタル情報管理システムを提案する。
【００２４】
本発明のディジタル情報管理システムによれば、利用者による前記スイッチ手段の操作に基づいて、前記送信モジュールにより前記記録対象情報が強制的に前記情報記録サーバに記録される。
【００２５】
また、本発明は上記構成のディジタル情報管理システムにおいて、前記送信モジュールは、利用者が操作可能なスイッチ手段と、該スイッチ手段の操作に基づいて前記情報記録サーバへの前記記録対象情報の記録を強制的に中止する手段を有するディジタル情報管理システムを提案する。
【００２６】
本発明のディジタル情報管理システムによれば、利用者による前記スイッチ手段の操作に基づいて、前記送信モジュールにより前記情報記録サーバへの前記記録対象情報の記録が強制的に中止される。
【００２７】
また、本発明は上記構成のディジタル情報管理システムにおいて、前記送信モジュールは、利用者が操作可能なスイッチ手段と、該スイッチ手段の操作に基づいて前記情報記録サーバの記憶手段に記録されている前記記録対象情報の少なくとも一部を削除する手段を有するディジタル情報管理システムを提案する。
【００２８】
本発明のディジタル情報管理システムによれば、利用者による前記スイッチ手段の操作に基づいて、前記送信モジュールにより前記情報記録サーバの記憶手段に記録されている前記記録対象情報の少なくとも一部が削除される。
【００２９】
また、本発明は上記構成のディジタル情報管理システムにおいて、前記送信モジュールは、情報暗号化に用いる公開鍵を保持する手段と、前記公開鍵を用いて前記記録対象情報を暗号化する手段と、前記暗号化された記録対象情報を前記情報記録サーバの情報記憶手段に記録する手段とを有し、前記閲覧端末装置は、前記公開鍵に対応する秘密鍵を外部から入力する手段或いは前記秘密鍵を保持する手段のうちの少なくとも何れか一方と、前記情報記録サーバの記憶手段に記録されている前記暗号化された記録対象情報を閲覧するときに、前記外部から入力された秘密鍵によって前記暗号化された記録対象情報を復号する手段とを有するディジタル情報管理システムを提案する。
【００３０】
本発明のディジタル情報管理システムによれば、前記送信モジュールにより、情報暗号化に用いる公開鍵が保持され、該公開鍵を用いて前記記録対象情報が暗号化され、該暗号化された記録対象情報が前記情報記録サーバの情報記憶手段に記録される。さらに、前記情報記録サーバの情報記憶手段に記録された記録対象情報を利用者が閲覧する際には、利用者が入力した或いは前記閲覧端末装置によって前記公開鍵に対応する秘密鍵を用いて前記暗号化された記録対象情報が復号される。
【００３１】
また、本発明は上記構成のディジタル情報管理システムにおいて、前記通信ネットワークに接続された複数の前記情報記録サーバを備え、前記複数の情報記録サーバのうちの少なくとも１つが、前記記録対象情報を他の情報記録サーバと分担して保持する手段を有するディジタル情報管理システムを提案する。
【００３２】
本発明のディジタル情報管理システムによれば、前記通信ネットワークに接続された複数の前記情報記録サーバが備えられ、前記複数の情報記録サーバのうちの少なくとも１つによって、前記記録対象情報が他の情報記録サーバと分担して保持される。
【００３３】
また、本発明は上記構成のディジタル情報管理システムにおいて、前記通信ネットワークに接続された複数の前記情報記録サーバを備え、前記複数の情報記録サーバのうちの少なくとも２つが、同一の前記記録対象情報を相互にバックアップとして保持する手段を有するディジタル情報管理システムを提案する。
【００３４】
本発明のディジタル情報管理システムによれば、前記通信ネットワークに接続された複数の前記情報記録サーバが備えられ、前記複数の情報記録サーバのうちの少なくとも２つによって、同一の前記記録対象情報が相互にバックアップとして保持される。
【００３５】
また、本発明は上記構成のディジタル情報管理システムにおいて、前記通信ネットワークは有線通信ネットワークに接続された無線基地局を有し、前記送信モジュールは前記無線基地局との無線通信によって前記通信ネットワークに接続する手段を有するディジタル情報管理システムを提案する。
【００３６】
本発明のディジタル情報管理システムによれば、送信モジュールは有線通信ネットワークに接続された無線基地局との無線通信を行うことにより前記通信ネットワークに接続する。
【００３７】
また、本発明は上記の目的を達成するために、利用者がデジタル機器を用いて作成したディジタル情報或いは通信ネットワークを介して接触したデジタル情報のうちの少なくとも何れか一方に関する情報を記録対象情報として、前記ディジタル機器に接続された送信モジュールによって自動的に通信ネットワークを介して情報記録サーバに送信し、前記情報記録サーバは前記送信モジュールから受信した前記記録対象情報を情報記憶手段に記憶して記録管理するディジタル情報管理システムにおける前記送信モジュールであって、前記ディジタル機器で作成した情報或いは前記接触した情報のうちの少なくとも何れか一方に関して、情報本体あるいは情報を一意に指し示す指示情報のうちの少なくとも何れか一方を前記記録対象情報として前記情報記録サーバへ記録するための信号を前記通信ネットワークを介して前記情報記録サーバへ送信する送信手段を備えている送信モジュールを提案する。
【００３８】
本発明の送信モジュールによれば、利用者がデジタル機器を用いてディジタル情報を作成したとき或いは通信ネットワークを介してデジタル情報に接触したときに、この情報本体あるいはこの情報を一意に指し示す指示情報のうちの少なくとも何れか一方が記録対象情報として前記情報記録サーバへ記録するための信号が前記通信ネットワークを介して前記情報記録サーバに送信される。これにより、前記情報記録サーバの情報記憶手段に前記記録対象情報が自動的に記録される。
【００３９】
また、本発明は上記構成の送信モジュールにおいて、利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つを前記記録対象情報に付加する手段を有する送信モジュールを提案する。
【００４０】
本発明の送信モジュールによれば、利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つが前記記録対象情報に付加される。
【００４１】
また、本発明は上記構成の送信モジュールにおいて、利用者が前記ディジタル機器を用いて情報作成した或いは通信ネットワークを介して情報に接触した場合において、前記付加情報が日時の情報であるときは、前記付加情報に曜日と祝日の名称と個人的な記念日のうちの少なくとも何れか１つを表す情報を含み、前記付加情報が前記情報の性質を表す情報であるときは、前記付加情報に専門用語でのフォーマット名と情報の名称のうちの少なくとも何れか１つを表す情報を含み、前記付加情報が前記利用したディジタル機器の存在場所を表す情報であるときは、緯度・経度情報或いは地名或いは通称名のうちの少なくとも何れか１つを表す情報を含む送信モジュールを提案する。
【００４２】
本発明の送信間ジュールによれば、利用者が前記ディジタル機器を用いて情報作成した或いは通信ネットワークを介して情報に接触した場合において、前記付加情報が日時の情報であるときは、前記付加情報に曜日と祝日の名称と個人的な記念日のうちの少なくとも何れか１つを表す情報が前記記録対象情報に付加され、前記付加情報が前記情報の性質を表す情報であるときは、前記付加情報に専門用語でのフォーマット名と情報の名称のうちの少なくとも何れか１つを表す情報が前記記録対象情報に付加され、前記付加情報が前記利用したディジタル機器の存在場所を表す情報であるときは、緯度・経度情報或いは地名或いは通称名のうちの少なくとも何れか１つを表す情報が戦記記録対象情報に付加される。
【００４３】
また、本発明は上記構成の送信モジュールにおいて、利用者が操作可能なスイッチ手段と、該スイッチ手段の操作に基づいて前記記録対象情報を強制的に前記情報記録サーバに記録するための信号を送信する手段を有する送信モジュールを提案する。
【００４４】
本発明の送信モジュールによれば、利用者による前記スイッチ手段の操作に基づいて、前記記録対象情報が強制的に前記情報記録サーバに記録するための信号が前記情報記録サーバに対して送信される。
【００４５】
また、本発明は上記構成の送信モジュールにおいて、利用者が操作可能なスイッチ手段と、該スイッチ手段の操作に基づいて前記情報記録サーバへの前記記録対象情報の記録を強制的に中止する手段を有する送信モジュールを提案する。
【００４６】
本発明の送信モジュールによれば、利用者による前記スイッチ手段の操作に基づいて、前記情報記録サーバへの前記記録対象情報の記録が強制的に中止される。
【００４７】
また、本発明は上記構成の送信モジュールにおいて、利用者が操作可能なスイッチ手段と、該スイッチ手段の操作に基づいて前記情報記録サーバの記憶手段に記録されている前記記録対象情報の少なくとも一部を削除するための信号を送信する手段を有する送信モジュールを提案する。
【００４８】
本発明の送信モジュールによれば、利用者による前記スイッチ手段の操作に基づいて、前記情報記録サーバの記憶手段に記録されている前記記録対象情報の少なくとも一部を削除するための信号が前記情報記録サーバに対して送信される。
【００４９】
また、本発明は上記構成の送信モジュールにおいて、情報暗号化に用いる公開鍵を保持する手段と、前記公開鍵を用いて前記記録対象情報を暗号化する手段とを有し、前記送信手段は、前記暗号化された記録対象情報を送信する送信モジュールを提案する。
【００５０】
本発明の送信モジュールによれば、情報暗号化に用いる公開鍵が保持され、前記公開鍵を用いて前記記録対象情報が暗号化され、前記暗号化された記録対象情報が前記情報記録サーバに対して送信される。
【００５１】
また、本発明は上記の目的を達成するために、利用者がデジタル機器を用いて作成したディジタル情報或いは通信ネットワークを介して接触したデジタル情報のうちの少なくとも何れか一方に関する情報を記録対象情報として、前記ディジタル機器に接続或いは内蔵された送信モジュールによって自動的に基地局に送信し、前記基地局は前記送信モジュールから送信された記録対象情報を通信ネットワークを介して情報記録サーバに送信し、前記情報記録サーバは前記ネットワークを介して前記基地局から受信した前記記録対象情報を情報記憶手段に記憶して記録管理し、前記情報記録サーバに記録されている前記記録対象情報を閲覧するときに、前記通信ネットワークを介して前記情報記録サーバに接続された情報閲覧端末装置によって前記記録対象情報を表示するディジタル情報管理方法を提案する。
【００５２】
本発明のディジタル情報管理方法によれば、前記ディジタル機器に接続或いは内蔵された送信モジュールにより、利用者がデジタル機器を用いてディジタル情報を作成したとき或いは通信ネットワークを介してデジタル情報に接触したときに、この情報本体あるいはこの情報を一意に指し示す指示情報のうちの少なくとも何れか一方が記録対象情報とされて前記通信ネットワークを介して前記情報記録サーバの情報記憶手段に自動的に記録される。さらに、利用者が前記情報記録サーバに記録されている前記記録対象情報を閲覧するときは、前記情報閲覧端末装置によって前記通信ネットワークを介して前記情報記録サーバに接続され、前記情報記録サーバに記録されている前記記録対象情報を閲覧することができる。
【００５３】
また、本発明は上記構成のディジタル情報管理方法において、前記情報記録サーバは、利用者が前記情報記録サーバを利用して情報を記録した場合における、利用回数、利用情報量、利用期間、利用時間のうちの少なくとも何れか１つを含む利用形態に関する情報を利用者毎に記録して保持し、前記保持している前記利用形態に関する情報に基づいて前記利用者に課金するディジタル情報管理方法を提案する。
【００５４】
本発明のディジタル情報管理方法によれば、前記情報記録サーバによって、利用者が前記情報記録サーバを利用して情報を記録した場合における、利用回数、利用情報量、利用期間、利用時間のうちの少なくとも何れか１つを含む利用形態に関する情報が利用者毎に記録されて保持されると共に、前記保持されている前記利用形態に関する情報に基づいて前記利用者に課金される。
【００５５】
また、本発明は上記構成のディジタル情報管理方法において、前記送信モジュールは、利用者が前記ディジタル機器を用いて情報作成した或いは通信ネットワークを介して情報に接触した場合において、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つを前記記録対象情報に付加するディジタル情報管理方法を提案する。
【００５６】
本発明のディジタル情報管理方法によれば、利用者が前記ディジタル機器を用いて情報作成した或いは通信ネットワークを介して情報に接触した場合において、前記送信モジュールによって、前記情報を作成あるいは接触した日時の情報、前記作成あるいは接触した情報の性質を表す情報、利用したディジタル機器の種類を表す情報、利用したディジタル機器の存在場所を表す情報、利用者が作成した付加情報のうちの少なくとも何れか１つが前記記録対象情報に付加される。これにより、前記記録対象情報を閲覧する際に該情報の記録に関する詳細情報を得ることができる。
【００５７】
また、本発明は上記構成のディジタル情報管理方法において、前記送信モジュールは、利用者が前記ディジタル機器を用いて情報作成した或いは通信ネットワークを介して情報に接触した場合において、前記付加情報が日時の情報であるときは、前記付加情報に曜日と祝日の名称と個人的な記念日のうちの少なくとも何れか１つを表す情報を含め、前記付加情報が前記情報の性質を表す情報であるときは、前記付加情報に専門用語でのフォーマット名と情報の名称のうちの少なくとも何れか１つを表す情報を含め、前記付加情報が前記利用したディジタル機器の存在場所を表す情報であるときは、緯度・経度情報或いは地名或いは通称名のうちの少なくとも何れか１つを表す情報を含めるディジタル情報管理方法を提案する。
【００５８】
本発明のディジタル情報管理方法によれば、利用者が前記ディジタル機器を用いて情報作成した或いは通信ネットワークを介して情報に接触した場合において、前記送信モジュールによって、前記付加情報が日時の情報であるときは、前記付加情報に曜日と祝日の名称と個人的な記念日のうちの少なくとも何れか１つを表す情報が前記記録対象情報に付加され、前記付加情報が前記情報の性質を表す情報であるときは、前記付加情報に専門用語でのフォーマット名と情報の名称のうちの少なくとも何れか１つを表す情報が前記記録対象情報に付加され、前記付加情報が前記利用したディジタル機器の存在場所を表す情報であるときは、緯度・経度情報或いは地名或いは通称名のうちの少なくとも何れか１つを表す情報が戦記記録対象情報に付加される。
【００５９】
また、本発明は上記構成のディジタル情報管理方法において、前記送信モジュールは、利用者が入力した制御指示に基づいて前記記録対象情報を強制的に前記情報記録サーバに記録するディジタル情報管理方法を提案する。
【００６０】
本発明のディジタル情報管理方法によれば、前記送信モジュールによって、利用者が入力した制御指示に基づいて前記記録対象情報が強制的に前記情報記録サーバに記録される。
【００６１】
また、本発明は上記構成のディジタル情報管理方法において、前記送信モジュールは、利用者が入力した制御指示に基づいて前記情報記録サーバへの前記記録対象情報の記録を強制的に中止するディジタル情報管理方法を提案する。
【００６２】
本発明のディジタル情報管理方法によれば、前記送信モジュールによって、利用者が入力した制御指示に基づいて前記情報記録サーバへの前記記録対象情報の記録が強制的に中止される。
【００６３】
また、本発明は上記構成のディジタル情報管理方法において、前記送信モジュールは、利用者が入力した制御指示に基づいて前記情報記録サーバの記憶手段に記録されている前記記録対象情報の少なくとも一部を削除するディジタル情報管理方法を提案する。
【００６４】
本発明のディジタル情報管理方法によれば、前記送信モジュールによって、利用者が入力した制御指示に基づいて前記情報記録サーバの記憶手段に記録されている前記記録対象情報の少なくとも一部が削除される。
【００６５】
また、本発明は上記構成のディジタル情報管理方法において、前記送信モジュールは、情報暗号化に用いる公開鍵を保持し、前記公開鍵を用いて前記記録対象情報を暗号化し、前記暗号化された記録対象情報を送信し、前記情報記録サーバは前記送信モジュールから受信した前記暗号化された記録対象情報を情報記憶手段に記憶して記録管理し、前記情報閲覧端末装置は、前記公開鍵に対応した秘密鍵によって前記情報記録サーバから受信した前記暗号化された記録対象情報を複合して表示するディジタル情報管理方法を提案する。
【００６６】
本発明のディジタル情報管理方法によれば、前記送信モジュールによって、情報暗号化に用いる公開鍵が保持され、前記公開鍵を用いて前記記録対象情報が暗号化され、前記暗号化された記録対象情報が前記情報記録サーバに送信される。また、前記情報記録サーバによって、前記送信モジュールから受信した前記暗号化された記録対象情報が情報記憶手段に記憶されて記録管理される。さらに、前記情報記録サーバに記録されている前記記録対象情報を利用者が閲覧するときには、前記情報閲覧端末装置によって、前記公開鍵に対応した秘密鍵により前記情報記録サーバから受信した前記暗号化された記録対象情報が複合されて表示される。
【００６７】
また、本発明は上記の目的を達成するために、利用者がデジタル機器を用いて作成したディジタル情報或いは通信ネットワークを介して接触したデジタル情報のうちの少なくとも何れか一方に関する情報を記録対象情報として、前記ディジタル機器に接続された送信モジュールによって自動的に通信ネットワークを介して情報記録サーバに送信し、前記情報記録サーバは前記送信モジュールから受信した前記記録対象情報を情報記憶手段に記憶して記録管理するディジタル情報管理システムにおける前記送信モジュールを駆動するプログラムであって、前記送信モジュールが行う処理を実行する処理ステップを含むコンピュータプログラムを提案する。
【００６８】
また、本発明は上記の目的を達成するために、前記送信モジュールを駆動するプログラムが記憶されていることを特徴とするコンピュータ読み取り可能な情報記憶媒体を提案する。
【００６９】
【発明の実施の形態】
以下、図面を参照して本発明の一実施形態を説明する。
【００７０】
図１は本発明の一実施形態におけるディジタル情報管理システムを示す構成図である。図において、１は情報閲覧端末装置、１１は暗号鍵生成モジュール、１２は情報復号化モジュール、２は秘密鍵格納機器、３は通信ネットワーク、４は基地局、５は情報記録サーバ、６は公開鍵データベース（以下、公開鍵ＤＢと称する）、７（７Ａ，７Ｂ，７Ｃ）は送信モジュール、７１は通信モジュール、７２は暗号化モジュール、８（８Ａ，８Ｂ，８Ｃ）はデジタル機器である。
【００７１】
情報閲覧端末装置１は、例えば周知のパーソナルコンピュータからなり、所定の情報閲覧用プログラムがインストールされており、該プログラムによって動作し、情報記録サーバ５から個人的に生成した情報を取得して閲覧する。
【００７２】
また、情報閲覧端末装置１は、暗号鍵生成モジュール１１と情報復号化モジュール１２を備えている。
【００７３】
暗号鍵生成モジュール１１は、情報閲覧端末装置１内に設けられ、秘密鍵と公開鍵との組からなる暗号鍵を生成し、秘密鍵は秘密鍵格納機器２へ格納され、公開鍵は公開鍵ＤＢ６に登録される。
【００７４】
情報復号化モジュール１２は、情報閲覧端末装置１内に設けられ、利用者によって秘密鍵格納機器２が接続されると、秘密鍵格納機器２に格納されている秘密鍵を用いて、情報記録サーバ５から取得した暗号化された情報を一時的に復号して情報閲覧端末装置１の表示部１３に表示する。
【００７５】
秘密鍵格納機器２は、例えばフレキシブルディスクや、ＵＳＢ接続メモリ、又はその他の携帯可能な各種メモリ、或いはハードディスクなどからなり、秘密鍵を格納し、利用者の手元で恒常的に保存される。
【００７６】
尚、情報閲覧端末装置１が個人に所有され、該個人によってのみ使用されるときは秘密鍵を情報閲覧端末装置１内に保持しておいても良い。
【００７７】
通信ネットワーク３は、例えばインターネットや専用線による通信ネットワークなどである。
【００７８】
基地局４は、周知のコンピュータ装置から構成され、通信ネットワーク３に接続された無線通信機能を備え、デジタル機器８に接続された送信モジュール７から送信された情報を受信し、或いは通信ネットワーク３を介して又はデジタル機器８が直接接続されることで情報を受信し、この受信した情報を情報記録サーバ５へ通信ネットワーク３を経由して送信する。
【００７９】
また、基地局４は送信モジュール７から削除要求信号を受信したときに、この削除要求信号を情報記録サーバ５に転送する。
【００８０】
情報記録サーバ５は、情報を記憶する大容量の記憶媒体からなる情報記憶部を備えた周知のコンピュータ装置によって構成され、基地局４から送信された情報を受信して情報記憶部に蓄積し、この情報を管理し、また情報閲覧端末装置１からの要求に応じて随時指定された情報を情報閲覧端末装置１へ通信ネットワーク３を介して送信する。
【００８１】
また、情報記録サーバ５は、利用者が情報記録サーバ５を利用して情報を記録した場合における、利用回数、利用情報量、利用期間、利用時間のうちの少なくとも何れか１つを含む利用形態に関する情報を利用携帯情報として利用者毎に記録して保持し、保持している利用形態情報に基づいて利用者に課金する。
【００８２】
さらに、情報記録サーバ５は、送信モジュール７から削除要求信号を受信したときに、受信した削除要求信号に基づいて削除要求された情報を削除する。
【００８３】
公開鍵ＤＢ６は、暗号鍵生成モジュール１１によって生成された公開鍵を通信ネットワーク３を介して受信し、これを蓄積して管理し、また送信モジュール７からの要求に応じて随時指定された公開鍵を送信モジュール７へ通信ネットワーク３を介して送信する。
【００８４】
送信モジュール７は、周知のＣＰＵを主体としたハードウェアとＣＰＵを動作させるプログラム（ソフトウェア）によって構成され、デジタル機器８に随時接続されており、デジタル機器８で生成された情報、或いはデジタル機器８を通じて接触した情報配信サーバ（図示せず）等に蓄積されている情報について、情報本体あるいは情報を一意に指し示す指示情報を記録対象情報として、無線通信によって或いは通信ネットワーク３を介して基地局４へ自動的に送信する。
【００８５】
また、送信モジュール７は、上記記録対象情報に付加情報を含めて基地局４へ自動的に送信する、この付加情報としては、利用者がディジタル機器８を用いて情報を作成した場合或いは通信ネットワーク３を介して情報に接触した場合において、情報を作成あるいは接触した日時の情報や、作成あるいは接触した情報の性質を表す情報名、利用したディジタル機器の種類を表す情報、利用したディジタル機器の存在場所を表す情報が挙げられる。
【００８６】
尚、利用者が任意に作成したテキストや音声等の情報を付加情報として付加して送信するようにしても良い。また、上記付加情報が日時の情報であるときは、付加情報に曜日と祝日の名称と個人的な記念日などを表す情報を含んでも良いし、付加情報が情報の性質を表す情報であるときは付加情報に専門用語でのフォーマット名と情報の名称などを表す情報を含んでも良い。また、付加情報が利用したディジタル機器の存在場所を表す情報であるときは、周知のＧＰＳ（Ｇｌｏｂａｌ  Ｐｏｓｉｔｉｏｎｉｎｇ  Ｓｙｓｔｅｍ）等を用いて取得した緯度・経度情報或いは地名或いは通称名のうちの少なくとも何れか１つを表す情報を含んでも良い。
【００８７】
さらに、送信モジュール７は、利用者が操作可能なスイッチ手段と、このスイッチ手段の操作に基づいて上記記録対象情報を強制的に基地局４に送信する機能と、上記スイッチ手段の操作に基づいて基地局４への上記記録対象情報の送信を強制的に中止する機能、及びスイッチ手段の操作に基づいて情報記録サーバ５に記録されている前記記録対象情報の少なくとも一部を削除するための削除要求信号を送信する機能を備えている。
【００８８】
この様なスイッチ手段と機能を備えることにより、情報記録サーバ５に記録すべきであった情報が自動的に記録されなかったときに利用者が意識的に情報記録サーバ５に記録することができると共に、記録したくない情報を意識的に記録しないことが可能になる。さらに、情報記録サーバ５に記録されている記録対象情報のなかで不要となった情報を容易に削除することができる。
【００８９】
デジタル機器８は、例としてはパーソナルコンピュータや、デジタルスチルカメラ、デジタルビデオカメラ、携帯電話等であり、利用者がデジタル情報を生成あるいは接触するための機器である。デジタル機器８は、生成あるいは接触した情報について、情報本体あるいは情報を一意に指し示す指示情報を送信モジュール７へと転送する。これにより、デジタル機器８には、生成あるいは接触した情報を機器内部に蓄積しない。尚、デジタル機器８がパーソナルコンピュータである場合、これが情報閲覧端末装置１を兼ねている場合がある。
【００９０】
デジタル機器８は、利用者がデジタル情報を生成あるいは接触したりするための機器である。ここで、ディジタル情報の生成とは例えばディジタル動画映像や静止画、ディジタル文書等の情報の生成を意味し、ディジタル情報への接触とは情報配信サーバから配信される情報やＷｅｂサーバのホームページ情報にアクセスしたとき等を意味する。
【００９１】
また、ディジタル機器８は、送信モジュール７と随時接続されており、デジタル機器８で生成された情報或いはデジタル機器８を通じて接触した情報について、情報本体あるいは情報を一意に指し示す指示情報を送信モジュール７へ送出する。
【００９２】
ここで、本実施形態ではディジタル機器８Ａをディジタルビデオカメラとし、これに接続されている送信モジュール７Ａは基地局４と無線通信して情報の送信を行う。また、送信モジュール７Ａは、通信モジュール７１Ａと情報暗号化モジュール７２Ａを備えている。通信モジュール７１Ａは、情報暗号化モジュール７２Ａによって暗号化された記録対象情報を基地局４へ無線通信によって送信する。情報暗号化モジュール７２Ａは、デジタル機器８Ａで生成された情報について、情報本体あるいは情報を一意に指し示す指示情報を暗号化し、通信モジュール７１Ａに送出する。
【００９３】
また、本実施形態ではディジタル機器８Ｂを携帯型電話機とし、これに内蔵されている送信モジュール７Ｂは基地局４と無線通信して情報の送信を行う。また、送信モジュール７Ｂは、通信モジュール７１Ｂと情報暗号化モジュール７２Ｂを備えている。通信モジュール７１Ｂは、情報暗号化モジュール７２Ｂによって暗号化された記録対象情報を基地局４へ無線通信によって送信する。情報暗号化モジュール７２Ｂは、デジタル機器８Ｂによって生成した情報及びデジタル機器８Ｂによって接触した情報について、情報本体あるいは情報を一意に指し示す指示情報を暗号化し、通信モジュール７１Ｂに送出する。
【００９４】
また、本実施形態ではディジタル機器８Ｃをパーソナルコンピュータとし、これに接続されている送信モジュール７Ｃは基地局４に対して通信ネットワーク３を介して情報の送信を行う。また、送信モジュール７Ｃは、通信モジュール７１Ｃと情報暗号化モジュール７２Ｃを備えている。通信モジュール７１Ｃは、通信ネットワーク３に接続され、情報暗号化モジュール７２Ｃによって暗号化された記録対象情報を基地局４へ通信ネットワーク３を介して送信する。情報暗号化モジュール７２Ｃは、デジタル機器８Ｃによって生成した情報及びデジタル機器８Ｃによって接触した情報について、情報本体あるいは情報を一意に指し示す指示情報を暗号化し、通信モジュール７１Ｃに送出する。
【００９５】
次に、本実施形態における一動作例を図２の処理手順を示すラダーチャート図を参照して説明する。
【００９６】
情報閲覧端末装置１は、内部に保持された暗号鍵生成モジュール１１によって、秘密鍵と公開鍵との組からなる暗号鍵を生成する（Ｓ１０１）。さらに、情報閲覧端末装置１は、利用者によって接続された秘密鍵格納機器２へ秘密鍵を格納し（Ｓ１０２，Ｓ１０３）、公開鍵を公開鍵ＤＢ６へと送信する（Ｓ１０４）。
【００９７】
公開鍵ＤＢ６は、情報閲覧端末装置１の暗号鍵生成モジュール１１から送信された公開鍵取得し、この公開鍵をデータベースに登録する（Ｓ１０５）。ここまでが準備のための処理であり、本方式を利用するときに最初の一回だけ行なえば十分である。
【００９８】
以下が、情報を蓄積管理するための処理である。
【００９９】
利用者は、送信モジュール７をデジタル機器８に接続する（Ｓ１０６）。利用者は、デジタル機器８を用いて、デジタル情報を生成したり、或いは接触したりする（Ｓ１０７）。
【０１００】
送信モジュール７は、デジタル機器８と随時接続されており、デジタル機器８は、デジタル機器８で生成した情報或いはデジタル機器８を通じて接触した情報について、情報本体或いは情報を一意に指し示す指示情報を送信モジュール７へ送出する（Ｓ１０８）。
【０１０１】
送信モジュール７は、公開鍵ＤＢ６に公開鍵を要求して（Ｓ１０９，Ｓ１１０）公開鍵を取得し（Ｓ１１１）、取得した公開鍵を保持する（Ｓ１１２）。
【０１０２】
次いで、送信モジュール７は、ディジタル機器８から取得した情報本体あるいは情報を一意に指し示す指示情報を暗号化モジュール７２へ送る（Ｓ１１３）。
【０１０３】
暗号化モジュール７２は取得した情報本体あるいは情報を一意に指し示す指示情報を暗号化し（Ｓ１１４）、暗号化した情報を、同じく送信モジュール７内に保持される通信モジュール７１へと送る。
【０１０４】
通信モジュール７１は、暗号化モジュール７２から取得した暗号化された情報を基地局４へ送信する（Ｓ１１５、Ｓ１１６）。
【０１０５】
基地局４は、送信モジュール７から送信された情報を受信し、この情報を情報記録サーバ５へと通信ネットワーク３経由で送信する（Ｓ１１７）。
【０１０６】
情報記録サーバ５は、基地局４から送信された情報を受信し、これを蓄積して管理する（Ｓ１１８）。以上が、情報を蓄積管理のための処理である。
【０１０７】
以下が、情報を閲覧するための処理である。
【０１０８】
利用者は、秘密鍵格納機器２を情報閲覧端末装置１に接続する（Ｓ１１９）。次いで、利用者は情報閲覧端末装置１を用いて、情報記録サーバ５に対して情報の閲覧を要求する（Ｓ１２０，Ｓ１２１）。このとき、情報閲覧端末装置１は、情報記録サーバ５へ情報本体あるいは指示情報を要求する。
【０１０９】
この要求を受けた情報記録サーバ５は、要求された情報本体或いは指示情報を情報閲覧端末装置１に送信する（Ｓ１２２）。
【０１１０】
情報閲覧端末装置１は、情報記録サーバ５から送信された情報を受信し（Ｓ１２３）、これら受信した情報は暗号化されているため、秘密鍵格納機器２から秘密鍵を取り出し、この秘密鍵を用いて暗号化された情報を復号化する（Ｓ１２４）。これにより、利用者は、情報閲覧端末装置１によって復号化された情報を閲覧することができる（Ｓ１２５）。尚、情報閲覧端末装置１は、情報記録サーバ５から利用者が個人的に生成した情報を取得して閲覧することができるものである。
【０１１１】
図３は、情報記録サーバ５における記録情報の一記録構成例を示したものである。図３に示すように、本実施形態における記録情報の構成では、利用者ＩＤと、利用者氏名、情報名、情報の格納位置、情報の格納日時、情報の生成・接触日時、利用機器、記録場所の緯度と経度等の情報が一組に対応付けられて蓄積されている。
【０１１２】
利用者ＩＤは、利用者を一意に特定するためのデータである。利用者氏名は、利用者の通常の意味での名前である。情報名は、情報を一意に特定するためのデータであり、格納位置とセットで情報を一意に決定することができる。
【０１１３】
格納位置は、情報記録サーバ５の中で、情報がどこに格納されているかを示すデータである。格納日時は、情報が情報記録サーバ５に格納された日時を示すデータである。生成・接触日時は、利用者が生成した情報である場合は生成した日時を、利用者が接触した情報である場合は接触した日時を示すデータである。
【０１１４】
利用機器は、利用者がデジタル情報を生成あるいは接触したときに利用したデジタル機器８の機種名を示すデータである。記録場所は、利用者がデジタル情報を生成あるいは接触したときの位置情報であり、ここでは緯度と経度によって示されている。
【０１１５】
例えば、図３に示す例で見ると、第一行では、利用者ＩＤ「１２３４５」の田中一郎という名前の利用者が、２００３年の５月１２日に、ＸＹＺ１００という機種名のデジタルカメラでｊｐｇ形式の写真を撮影したことが記録され、その情報本体は、このＤＢ内の「￥￥ｉｎｆｏ＿ｄｂ￥ＤＢ１￥ｕｓｒ０１２３４５￥２００３￥０５￥」に格納されている。
【０１１６】
また最終行では、同じく利用者ＩＤ「１２３４５」の田中一郎という名前の利用者が、２００３年の５月１２日に、ＨＡＬ９０００という機種名のパーソナルコンピュータで、あるＵＲＬの情報に接触したことが記録されている。尚、具体的なＵＲＬはこのＤＢ内の「￥￥ｉｎｆｏ＿ｄｂ￥ＤＢ１￥ｕｓｒ０１２３４５￥２００３￥０５￥」に格納されているため、この表からは知ることはできない。
【０１１７】
前述したように、本実施形態によれば、利用者が意識的に情報を整理するための処理を最小限化することができる。また、個人的に作成された情報は作成したと同時に、或いはあまり間をおかずに、必要に応じて、記録日時・記録場所等の付加情報と対にして、利用者が契機を意識しない形で情報記録サーバ５に移動して蓄積される。
【０１１８】
このため、本実施形態によれば、利用者は従来のようにそれぞれのデジタル機器８に応じてデジタル情報の記録媒体を用意し、またどのようなデジタル情報に接触したかについてをそれぞれのチャネルに個別に管理する必要がない。
【０１１９】
また、個別のデジタル機器８を利用した場合、従来のようにディジタル機器８に内蔵されているデジタル情報の記録媒体を取り出し、パーソナルコンピュータ内の記憶媒体にコピーし、必要に応じてパーソナルコンピュータの中で分類整理を行なう必要もない。
【０１２０】
従って、従来のようにディジタル機器８の情報記録媒体に記録されている情報をパーソナルコンピュータ内の記憶媒体にコピーする作業を怠った場合、ディジタル機器に内蔵された情報記録媒体だけでは情報が収納しきれず、デジタル機器が手元にあるにもかかわらず利用できないという問題が発生することもない。
【０１２１】
また、事後の閲覧においては、特に記録日時・記録場所などが有用な手がかりであるため、人間が情報の意味レベルで整理したものでなくとも、このような付加情報とセットで情報が保管されていれば、自動処理であっても、閲覧時に目指す情報を容易に発見することができる。また、個人によって生成された情報は、随時デジタル機器８の外部にある大容量の情報記録サーバ５に移されるので、デジタル機器８がローカルに持つ情報記録媒体の制限がなくなる。
【０１２２】
尚、本実施形態では１つの情報記録サーバ５を備えたシステム構成に関して説明したが、通信ネットワーク３に接続された複数の情報記録サーバ５を備え、複数の情報記録サーバ５のうちの少なくとも１つが、前記記録対象情報を他の情報記録サーバ５と分担して保持するようにしても良い。また、複数の情報記録サーバ５のうちの少なくとも２つが、同一の前記記録対象情報を相互にバックアップとして保持するようにしても良い。
【０１２３】
また、送信モジュール７をソフトウェアによって構成することも容易であり、上記ディジタル機器８Ｂ（携帯電話）ではソフトウェア（コンピュータプログラム）によって送信モジュール７Ｂが構成されている。このような送信モジュール７Ｂを構成するコンピュータプログラムを情報記憶媒体に記憶して配布したり、或いは通信ネットワークを介して配布することにより、所定のコンピュータ装置に上記送信モジュール７を容易に付加することができる。
【０１２４】
【発明の効果】
以上説明したように本発明によれば、利用者が生成あるいは接触したデジタル情報について、管理することを強く意識することなしに自動的に記録し、また様々な方法で生成あるいは接触したデジタル情報を、そのときに利用したデジタル機器の種別に関わらず、一元的に管理することが可能となる。また、特に生成した情報については、意識的に情報を整理するための処理を最小限化することが可能となる。さらに、デジタル機器ローカルに持つ情報記録媒体の制限について意識する必要がなくなるという非常に優れた効果を奏するものである。
【図面の簡単な説明】
【図１】本発明の一実施形態におけるディジタル情報管理システムを示す構成図
【図２】本発明の一実施形態における一動作例の処理手順を示すラダーチャート図
【図３】本発明の一実施形態における情報記録サーバの記録構成例を示す図
【符号の説明】
１…情報閲覧端末装置、１１…暗号鍵生成モジュール、１２…情報復号化モジュール、１３…表示部、２…秘密鍵格納機器、３…通信ネットワーク、４…基地局、５…情報記録サーバ、６…公開鍵ＤＢ、７（７Ａ，７Ｂ，７Ｃ）…送信モジュール、７１（７１Ａ，７１Ｂ，７１Ｃ）…通信モジュール、７２（７２Ａ，７２Ｂ，７２Ｃ）…暗号化モジュール、８（８Ａ，８Ｂ，８Ｃ）…デジタル機器。
【図１】
2004318519.tif 000003
【図２】
2004318519.tif 000004
【図３】
2004318519.tif 000005